(57)【要約】【課題】カードとともに確認番号を乱数表で表示した確認番号表を送付するのに適したカード送付台紙を提供する。【課題の解決手段】カード送付台紙１１は、折り用ミシン目２，３を介して連接された３枚の紙片４，５，６からなる台紙１の同一面側に、カード１３の送付先情報１２を印字し、この送付先情報１２に対応するカード１３を取り外し可能に保持するとともに、カード１３の利用対象サービスを提供するインターネット銀行のような企業が、正規のカード所有者であることを確認するための確認番号を乱数表で表した確認番号表片１４を保持してなる。【選択図】図１
2010162694.tif 000002
【特許請求の範囲】
【請求項１】
折り部を介して連接された複数枚の紙片からなる台紙の同一面側に、カードの送付先情報を印字し、この送付先情報に対応するカードを取り外し可能に保持するとともに、カードの利用対象サービスを提供する企業が正規のカード所有者であることを確認するための確認番号を乱数表で表した確認番号表片を保持してなることを特徴とするカード送付台紙。
【発明の詳細な説明】
【技術分野】
【０００１】
本発明は、カード送付台紙に関し、特に、カードの利用対象サービスを提供する企業が、サービスの開始に際して、確認番号を用いた登録を要求する場合、例えば、企業がバンクカードを発行するインターネット銀行である場合に好適な、カード送付台紙に関する。
【背景技術】
【０００２】
近年、インターネットを利用した金融が盛んになってきているが、インターネットバンキングに際して使用されるバンクカードは、従来知られている送付台紙（特許文献１、２参照）を用いて封筒に封入されて送付されている。
【先行技術文献】
【特許文献】
【０００３】
【特許文献１】実用新案登録第２５６２４４９号公報
【特許文献２】特開平６−３１６１８９号公報
【発明の概要】
【発明が解決しようとする課題】
【０００４】
ところで、インターネットバンキングを利用するにあたっては、通常、送付されてきたバンクカードとともに知らされた情報に基いて、いわゆる初回登録をすることが求められる。この初回登録に必要な情報の一つに、申込者が正規のカード所有者か否かを確認するためにあらかじめインターネット銀行側で設定し、乱数表で表示した数字を組み合わせてなる確認番号がある。従来、この確認番号を示す乱数表は、カードの一部に表示したり、送付台紙とともに同封した別の用紙に表示している。ところが、カードの一部に表示する場合はスペースが充分確保できず、乱数表が小さくなって字を読取りにくいという不都合がある。また、別の用紙に表示した場合には、この用紙を余分なものと勘違いして廃棄したり、あるいは紛失しやすいという不都合がある。これらの不都合は、カードの利用対象サービスを提供する企業がインターネット銀行以外の場合でも、サービスの開始に際して、確認番号を用いた登録を要求する場合に共通するものである。
【０００５】
本発明は、このような事情に鑑みてなされたもので、カードとともに確認番号を乱数表で表示した確認番号表を送付するのに適した、カード送付台紙を提供することを目的とする。
【課題を解決するための手段】
【０００６】
この目的を達成するために、本発明の請求項１に係るカード送付台紙は、折り部を介して連接された複数枚の紙片からなる台紙の同一面側に、カードの送付先情報を印字し、この送付先情報に対応するカードを取り外し可能に保持するとともに、カードの利用対象サービスを提供する企業が正規のカード所有者であることを確認するための確認番号を乱数表で表した確認番号表片を保持してなるものである。
【発明の効果】
【０００７】
本発明に係るカード送付台紙によれば、利用サービスの提供開始にあたって、カード所有者が正規の者であることを確認番号で確認する企業が発行するカードを送付するのに最適であるという効果を奏する。
【図面の簡単な説明】
【０００８】
【図１】カード送付台紙の平面図。
【図２】図１のＡ−Ａ線断面図。
【発明を実施するための形態】
【０００９】
以下、本発明をインターネット銀行の発行するバンクカードの送付に適用した場合の好適な実施形態について添付図面に基づき説明する。
【００１０】
図１に示すように、カード送付台紙１１の台紙１は、折り用ミシン目２，３を介して連接された第１紙片４、第２紙片５、第３紙片６の３枚の紙片からなる。第１紙片４の表面側には、後述するカードの送付先の郵便番号、住所、氏名からなる送付先情報１２を印字している。
【００１１】
図１及び図２に示すように、第２紙片５の表面側のほぼ左半分には、カード１３を弱粘着剤１８で剥離可能に接着して保持し、前記第２紙片５の表面側のほぼ右半分には、カードの利用対象サービスを提供するインターネット銀行が、いわゆる初回登録に際して、正規の使用者であることを確認するための確認番号を乱数表で表した確認番号表を印字してなる確認番号表片１４を弱粘着剤１９で剥離可能に接着して保持している。
【００１２】
送付先情報１２の一つとして印字された氏名が、正規のカード所有者名である。また、カード１３の表面には、「○×銀行」というインターネット銀行名、「○×  ＢＡＮＫ  ＣＡＲＤ」というカード名のほか、ＩＤ番号として使用する会員番号１６、カード所有者名１７を表示し、また、ＩＣ部１５を設けている。
【００１３】
インターネット銀行では、カード１３の送付に先立って、カード所有者毎に、確認番号表の２桁の数字を組み合わせて４桁の確認番号を設定している。なお、確認番号表片１４に表示される２桁の数字は、行数と列数に応じた一定数のカード所有者に共通して使用可能であるが、前記一定数に達しない場合であっても、適宜変更することができる。
【００１４】
次に、上述したカード送付台紙１１を作成する方法を説明する。まず、台紙１を適宜なプリンタ、例えばインクジェットプリンタにかけて、図１に示すように、第１紙片４にカード１３の送付先情報１２を印字する。この時、図示してはいないが、第２紙片５のカード１３を保持する部分に、カード１３と送付先とのマッチングを検査するためのバーコードも印字する。このバーコードは、送付すべきカード１３に数字で表示したＩＤ番号たる会員番号１６と同一内容とすると、好適である。一方、別途、紙片に確認番号表を印字して、確認番号表片１４を作成しておく。
【００１５】
次いで、カード１３を保持する部分のバーコードの下と、確認番号表片１４を保持する部分に、それぞれ弱粘着剤１８，１９を所定範囲にわたって塗布する（図２参照）。続いて、第２紙片５に表示されたバーコードをバーコードリーダ（図示せず）で読み取って、あらかじめコンピュータ（図示せず）に入力されている会員番号データと照合し、一致しているか否かを判断して、一致している場合には、図１及び図２に示すように、弱粘着剤１８塗布部分にカード１３を載置して、カード１３を剥離可能に保持するとともに、弱粘着剤１９塗布部分に確認番号表片１４を載置して、確認番号表片１４を剥離可能に保持する。
【００１６】
上述のように作成した、カード送付台紙１１は、第１紙片４の送付先情報１２が表出するように、折り用ミシン目２，３でジグザク状に折り曲げられて三つ折り状態とされ、前記送付先情報１２が窓部に対応するように窓開き封筒に封入されて、郵送される。この三つ折り状態で、第３紙片６はカード１３表面を被覆保護する。
【００１７】
図１状態のカード送付台紙１１を受領したカード所有者は、カード１３及び確認番号表片１４を第２紙片５から剥離する。インターネットバンキングの開始にあたって必要となる、いわゆる初回登録を行うにあたって、カード所有者は、カード発行者であるインターネット銀行のホームページにアクセスし、画面表示にしたがって、ＩＤ番号たる会員番号１６を入力し、次画面で指定された確認番号、例えばＢ２，Ａ３と指定されれば確認番号表片１４でＢ２に対応する「５５」とＡ３に対応する「３９」を確認番号「５５３９」として入力する。この入力された確認番号が、あらかじめインターネット銀行が設定した確認番号と一致すると、初回登録画面に移る。そして、表示された初回登録画面において、必要事項を入力し、初回登録を終了する。
【００１８】
なお、本発明は、上述した実施形態に限定されるものではなく、例えば、台紙１におけるカード１３の取り外し可能な保持は、弱粘着剤１８を用いるほか、カード隅部を挿入する切り欠きやスリットで構成してもよい。また、確認番号表片１４は、第２紙片５に剥離可能ではなく、剥離困難に接着してもよい。さらに、確認番号表片１４の材質は紙に限らず、プラスチックなど適宜選択可能であり、材質によって印字適性に劣る場合には、その表面に確認番号表を印字した紙片を貼付してもよい。またさらに、カード１３のＩＤ番号は会員番号１６を利用するほか、独立したＩＤ番号として、カード１３の裏面などに表示してもよい。
【符号の説明】
【００１９】
１      台紙
２，３      折り用ミシン目
４      第１紙片
５      第２紙片
６      第３紙片
１１      カード送付台紙
１２      送付先情報
１３      カード
１４      確認番号表片
１５      ＩＣ部
１６      会員番号
１７      カード所有者名
１８，１９      弱粘着剤
【図１】
2010162694.tif 000003
【図２】
2010162694.tif 000004